(57)【要約】  受信フロントエンドモジュールが、携帯電話機または通信装置等の携帯用の通信装置において使用される一つまたは複数の２ＧＨｚ  Ｒｘパスおよび一つまたは複数のＷ−ＣＤＭＡ  Ｒｘパスを有する。受信フロントエンドモジュールは、通信信号を受信するための２つの電気的に独立したアンテナに動作可能に接続された少なくとも２つのフィードポイントを含む。受信フロントエンドモジュールはまた、対応する周波数帯域における通信信号のフィルタリングを行うためのフィルタ、およびクロスバンド分離を行うための手段を含む。クロスバンド分離は、例えば異なる信号パスにおける線形増幅器を使用して達成される。好ましくは、受信フロントエンドモジュールは３つの信号パスを含み、ＭＩＭＯ／ダイバーシティ機能を達成するために、一つまたは複数のモジュールが共に使用される。
2007511115.tif 000002
【特許請求の範囲】
【請求項１】
マルチバンド・マルチモード通信装置において使用される受信フロントエンドモジュールであって、前記マルチバンド・マルチモード通信装置は、電気的に分離された複数のアンテナを有し、
前記受信フロントエンドモジュールは、
前記マルチバンド・マルチモー通信装置において通信信号を受信する前記複数のアンテナの少なくとも２つのアンテナに独立に接続された少なくとも２つのフィードポイントと、
複数の周波数帯域において通信信号を同時に受信する前記フィードポイントに動作可能に接続される複数の信号パスであって、それぞれが対応する前記周波数帯域における前記通信信号のフィルタリングを行うフィルタを有する複数の信号パスと、
少なくとも２つの前記信号パスの間のクロスバンド分離を実現するために、前記信号パスに配置された少なくとも一つの分離構成要素とを備えることを特徴とする受信フロントエンドモジュール。
【請求項２】
前記分離構成要素が、少なくとも一つの信号増幅器を含むことを特徴とする、請求項１に記載の受信フロントエンドモジュール。
【請求項３】
前記少なくとも２つのアンテナが、第１アンテナおよび第２アンテナを含み、前記少なくとも２つのフィードポイントが、前記第１アンテナに動作可能に接続された第１フィードポイントおよび前記第２アンテナに動作可能に接続された第２フィードポイントを含み、
前記複数の信号パスは、
前記第１周波数帯域における前記通信信号のフィルタリングを行う第１フィルタを有し、かつ、前記第１フィードポイントに動作可能に接続された第１信号パスと、
前記第２周波数帯域における前記通信信号のフィルタリングを行う第２フィルタを有し、かつ、前記第２フィードポイントに動作可能に接続された第２信号パスと、
前記第３周波数帯域における前記通信信号のフィルタリングを行う第３フィルタを有し、かつ、前記第２フィードポイントに動作可能に接続された第３信号パスであって、ここに、前記第３周波数帯域が前記第２周波数帯域と異なる第３信号パスと、
前記第２フィルタおよび前記第３フィルタを整合させる少なくとも一つの整合回路とを具備することを特徴とする、請求項１に記載の受信フロントエンドモジュール。
【請求項４】
前記受信フロントエンドモジュールが、さらに、
前記第１フィルタと前記第１フィードポイントとの間の前記第１信号パスに配置された第１バランと、
前記第２フィルタと前記第２フィードポイントとの間の前記第２信号パスに配置された第２バランと、
前記第３フィルタと前記第２フィードポイントとの間の前記第３信号パスに配置された第３バランとを備えることを特徴とする、請求項３に記載の受信フロントエンドモジュール。
【請求項５】
前記分離構成要素が、
前記第１信号パスに配置され、かつ、前記第１フィルタに動作可能に接続された第１信号増幅器と、
前記第２信号パスに配置され、かつ、前記第２フィルタに動作可能に接続された第２信号増幅器と、
前記第３信号パスに配置され、かつ、前記第３フィルタに動作可能に接続された第３信号増幅器とを含むことを特徴とする、請求項４に記載の受信フロントエンドモジュール。
【請求項６】
前記第１周波数帯域が１８０５〜１８８０ＭＨｚの周波数範囲を実質的に包含し、
前記第２周波数帯域が１９３０〜１９９０ＭＨｚの周波数範囲を実質的に包含し、
前記第３周波数帯域が２１１０ＭＨｚと２１７０ＭＨｚとの間の周波数範囲を実質的に包含することを特徴とする、請求項３に記載の受信フロントエンドモジュール。
【請求項７】
前記第１信号パスにて受信された前記通信信号が、ＧＳＭモードで送信され、
前記第２信号パスにて受信された前記通信信号が、ＧＳＭモードまたはＷ−ＣＤＭＡモードのいずれか一方で送信され、
前記第３信号パスにて受信された前記通信信号が、ＣＤＭＡモードで送信されることを特徴とする、請求項６に記載の受信フロントエンドモジュール。
【請求項８】
前記第１周波数帯域が前記第２周波数帯域と実質的に同一であることを特徴とする、請求項３に記載の受信フロントエンドモジュール。
【請求項９】
前記第３周波数帯域が１８０５ＭＨｚと１８８０ＭＨｚとの間の周波数範囲を実質的に包含し、
前記第１周波数帯域および前記第２周波数帯域が２１１０ＭＨｚと２１７０ＭＨｚとの間の周波数範囲を実質的に包含することを特徴とする、請求項８に記載の受信フロントエンドモジュール。
【請求項１０】
前記第３信号パスにて受信された前記通信信号が、ＧＳＭモードで送信され、
前記第１信号パスおよび前記第２信号パスにて受信された前記通信信号が、Ｗ−ＣＤＭＡモードで送信されることを特徴とする、請求項９に記載の受信フロントエンドモジュール。
【請求項１１】
前記受信フロントエンドモジュールが、さらに、
前記第１フィルタと前記第１フィードポイントとの間の前記第１信号パスに配置された第１バランと、
前記第２フィルタと前記第２フィードポイントとの間の前記第２信号パスに配置された第２バランと、
前記第３フィルタと前記第２フィードポイントとの間の前記第３信号パスに配置された第３バランとを備えることを特徴とする、請求項８に記載の受信フロントエンドモジュール。
【請求項１２】
前記分離構成要素が、
前記第１信号パスに配置され、かつ、前記第１フィルタに動作可能に接続された第１信号増幅器と、
前記第２信号パスに配置され、かつ、前記第２フィルタに動作可能に接続された第２信号増幅器と、
前記第３信号パスに配置され、かつ、前記第３フィルタに動作可能に接続された第３信号増幅器とを含むことを特徴とする、請求項８に記載の受信フロントエンドモジュール。
【請求項１３】
前記少なくとも２つのアンテナが、第１アンテナおよび第２アンテナを含み、前記少なくとも２つのフィードポイントが、前記第１アンテナに動作可能に接続された第１フィードポイントおよび前記第２アンテナに動作可能に接続された第２フィードポイントを含み、
前記複数の信号パスは、
前記第１周波数帯域における前記通信信号のフィルタリングを行う第１フィルタを有し、前記第１フィードポイントに動作可能に接続された第１信号パスと、
前記第２周波数帯域における前記通信信号のフィルタリングを行う第２フィルタを有し、前記第２フィードポイントに動作可能に接続された第２信号パスとを含み、
前記複数のアンテナは、さらに、前記第１アンテナと前記第２アンテナから電気的に分離された第３アンテナを含み、
前記受信フロントエンドモジュールは、さらに、
前記通信装置において通信信号を受信する前記第３アンテナに動作可能に接続された第３フィードポイントと、
第３周波数帯域において通信信号を受信する前記第３フィードポイントに動作可能に接続された第３信号パスと、
前記第３信号パスと前記少なくとも２つの信号パスの少なくとも一つの信号パスとの間のクロスバンド分離を実現するために、前記第３信号パスに配置された付加的分離手段とを備えることを特徴とする、請求項１に記載の受信フロントエンドモジュール。
【請求項１４】
前記第１信号パスおよび前記第２信号パスにて受信された前記通信信号が、実質的に２１１０ＭＨｚと２１７０ＭＨｚとの間の周波数帯域で送信されることを特徴とする、請求項１３に記載の受信フロントエンドモジュール。
【請求項１５】
前記第３信号パスにて受信された前記通信信号が、実質的に１９３０ＭＨｚと１９９０ＭＨｚとの間の周波数帯域で送信されることを特徴とする、請求項１４に記載の受信フロントエンドモジュール。
【請求項１６】
前記受信フロントエンドモジュールが、さらに、
前記第１フィルタと前記第１フィードポイントとの間の第１信号パスに配置された第１バランと、
前記第２フィルタと前記第２フィードポイントとの間の第２信号パスに配置された第２バランと、
前記第３フィルタと前記第２フィードポイントとの間の第３信号パスに配置された第３バランとを備えることを特徴とする、請求項１３に記載の受信フロントエンドモジュール。
【請求項１７】
前記分離構成要素が、
前記第１信号パスに配置され、かつ、前記第１フィルタに動作可能に接続された第１信号増幅器と、
前記第２信号パスに配置され、かつ、前記第２フィルタに動作可能に接続された第２信号増幅器とを含み、
前記付加的分離手段が、
前記第３信号パスに配置され、かつ、前記第３フィルタに動作可能に接続された第３信号増幅器を含むことを特徴とする、請求項１６に記載の受信フロントエンドモジュール。
【請求項１８】
前記受信フロントエンドモジュールが、さらに、
実質的に１９３０ＭＨｚと１９９０ＭＨｚとの間の周波数帯域において通信信号を受信する前記複数のアンテナの異なる一つのアンテナに動作可能に接続された第４信号パスを備えることを特徴とする、請求項１５に記載の受信フロントエンドモジュール。
【請求項１９】
前記第１信号パスおよび前記第２信号パスにて受信された前記通信信号が、Ｗ−ＣＤＭＡ（ＥＵ）モードまたはＷ−ＣＤＭＡ（ＵＳ２）モードのいずれか一方のモードで送信されることを特徴とする、請求項１８に記載の受信フロントエンドモジュール。
【請求項２０】
前記第３信号パスおよび前記第４信号パスにて受信された前記通信信号が、Ｗ−ＣＤＭＡ（ＵＳ１）モードまたは１９００ＧＳＭモードのいずれか一方のモードで送信されることを特徴とする、請求項１９に記載の受信フロントエンドモジュール。
【請求項２１】
前記第３信号パスにて受信された前記通信信号が、Ｗ−ＣＤＭＡ（ＵＳ１）モードで送信され、前記第４信号パスにて受信された前記通信信号が、Ｗ−ＣＤＭＡ（ＵＳ１）モードまたは１９００ＧＳＭモードのいずれか一方のモードで送信されることを特徴とする、請求項１９に記載の受信フロントエンドモジュール。
【請求項２２】
前記第１バラン、前記第２バランおよび前記第３バランがサブモジュールに組み込まれることを特徴とする、請求項１６に記載の受信フロントエンドモジュール。
【請求項２３】
前記第１信号増幅器、前記第２信号増幅器および前記第３信号増幅器がサブモジュールに組み込まれることを特徴とする、請求項１７に記載の受信フロントエンドモジュール。
【請求項２４】
前記受信フロントエンドモジュールが、さらに、
前記第１フィードポイント、前記第２フィードポイントおよび前記第３フィードポイント、ならびに前記第１信号パス、前記第２信号パスおよび前記第３信号パスを設ける第１サブモジュールと、
前記第４信号パスを設ける第２サブモジュールとを備えることを特徴とする、請求項１８に記載の受信フロントエンドモジュール。
【請求項２５】
前記受信フロントエンドモジュールが、さらに、
更なるフィードポイントを有する更なるアンテナと、
第４周波数帯域において通信信号を受信するために前記更なるフィードポイントに動作可能に接続された第４信号パスと、
前記第４周波数帯域とは異なる第５周波数帯域において通信信号を受信するために前記更なるフィードポイントに動作可能に接続された第５信号パスとを備え、
前記第４信号パスおよび前記第５信号パスの各々は、
前記更なるフィードポイントに動作可能に接続された入力エンドおよび出力エンドと、
前記入力エンドに配置されたバランと、
前記出力エンドに配置された信号増幅器と、
前記信号増幅器と前記バランとの間に配置されたフィルタとを有し、
前記受信フロントエンドモジュールは、前記第４信号パスおよび前記第５信号パスにおける前記フィルタに整合させるために前記更なるフィードポイントに動作可能に接続された整合手段をさらに備えることを特徴とする、請求項１７に記載の受信フロントエンドモジュール。
【請求項２６】
前記第１信号パスおよび前記第２信号パスにて受信された前記通信信号が、Ｗ−ＣＤＭＡモードの実質的に２１１０ＭＨｚと２１７０ＭＨｚとの間の周波数帯域で送信され、
前記第３信号パスおよび第４信号パスにて受信された前記通信信号が、Ｗ−ＣＤＭＡモードまたはＧＳＭモードのいずれか一方のモードの実質的に１９３０ＭＨｚと１９９０ＭＨｚとの間の周波数帯域で送信されることを特徴とする、請求項２５に記載の受信フロントエンドモジュール。
【請求項２７】
前記第５信号パスにて受信された前記通信信号が、実質的に１８０５ＭＨｚと１８８０ＭＨｚとの間の前記第５周波数帯域で送信されることを特徴とする、請求項２６に記載の受信フロントエンドモジュール。
【請求項２８】
前記受信フロントエンドモジュールが、さらに、
前記第１信号パス、第２信号パスおよび第３信号パス、ならびに前記第フィードポイント１、前記第２フィードポイントおよび前記第３フィードポイントを設ける第１サブモジュールと、
前記第４信号パス、前記第５信号パスおよび前記更なるフィードポイントを設ける第２サブモジュールとを備えることを特徴とする、請求項２６に記載の受信フロントエンドモジュール。
【請求項２９】
前記受信フロントエンドモジュールが、さらに、
前記第４周波数帯域および前記第５周波数帯域とは異なる第６周波数帯域において通信信号を受信するために前記更なるフィードポイントに動作可能に接続された第６信号パスを備え、
前記第６信号パスは、
前記更なるフィードポイントに動作可能に接続された入力エンドおよび出力エンドと、
前記入力エンドに配置されたバランと、
前記出力エンドに配置された信号増幅器と、
前記第６周波数帯域における前記通信信号のフィルタリングを行うために前記信号増幅器と前記バランとの間に配置されたフィルタとを有し、
前記整合手段は、前記第６信号パスにおける前記フィルタに整合させるためにも使用されることを特徴とする、請求項２５に記載の受信フロントエンドモジュール。
【請求項３０】
前記第１信号パス、前記第２信号パスおよび前記第６信号パスにて受信された前記通信信号が、Ｗ−ＣＤＭＡモードの実質的に２１１０ＭＨｚと２１７０ＭＨｚとの間の周波数帯域で送信され、
前記第３信号パスおよび前記第４信号パスにて受信された前記通信信号が、Ｗ−ＣＤＭＡモードまたはＧＳＭモードのいずれか一方のモードの実質的に１９３０ＭＨｚと１９９０ＭＨｚとの間の周波数帯域で送信され、
前記第５信号パスにて受信された前記通信信号が、実質的に１８０５ＭＨｚと１８８０ＭＨｚとの間の前記第５周波数帯域で送信されることを特徴とする、請求項２９に記載の受信フロントエンドモジュール。
【請求項３１】
前記少なくとも２つのアンテナが、第１アンテナおよび第２アンテナを含み、
前記少なくとも２つのフィードポイントは、
第１周波数帯域において通信信号を受信するために前記第１アンテナに第１信号パスを動作可能に接続させる第１フィードポイントと、
前記第２周波数帯域において通信信号を受信するために前記第２アンテナに第２信号パスを動作可能に接続させる第２フィードポイントとを含み、
前記複数のアンテナは、第４アンテナ、第５アンテナおよび第６アンテナをさらに含み、
前記受信フロントエンドモジュールは、さらに、
前記周波数帯域において通信信号を受信するために前記第４アンテナに第４信号パスを動作可能に接続させる第４フィードポイントと、
前記第５周波数帯域において通信信号を受信するために前記第５アンテナに第５信号パスを動作可能に接続させる第５フィードポイントと、
前記第６周波数帯域において通信信号を受信するために前記第６アンテナに第６信号パスを動作可能に接続させる第６フィードポイントとを備え、
前記受信フロントエンドモジュールは、
前記第１信号パス、前記第２信号パスおよび前記第３信号パスを設ける第１サブモジュールと、
前記第４信号パス、前記第５信号パスおよび前記第６信号パスを設ける第２サブモジュールとをさらに備え、
前記通信信号が、前記第１〜第６信号パスからなる６つの信号パスの少なくとも２つの信号パスにおいて、同一の前記周波数帯域および伝送モードで送信されることを特徴とする請求項１３に記載の受信フロントエンドモジュール。
【請求項３２】
前記第１〜第６信号パスからなる６つの信号パスの前記少なくとも２つの信号パスが、
実質的に２１１０ＭＨｚと２１７０ＭＨｚとの間の周波数範囲で、受信された前記通信信号が送信される前記第１信号パスおよび前記第４信号パスと、
実質的に１９３０ＭＨｚと１９９０ＭＨｚとの間の周波数範囲で、受信された前記通信信号が送信される前記第２信号パスおよび前記第３信号パスと、
実質的に１８０５ＭＨｚと１８８０ＭＨｚとの間の周波数範囲で、受信された前記通信信号が送信される前記第５信号パスおよび前記第６信号パスとを含むことを特徴とする、請求項３１に記載の受信フロントエンドモジュール。
【請求項３３】
電気的に分離された複数のアンテナと、複数の周波数帯域において通信信号を受信する複数の信号パスとを有するマルチバンド・マルチモード通信装置における通信信号の受信を向上させる方法であって、
前記複数のアンテナの少なくとも２つのアンテナに独立に接続された少なくとも第１フィードポイントおよび第２フィードポイントを提供するステップと、
前記複数の信号パスの少なくとも一つの信号パスを前記第１フィードポイントに動作可能に接続すると共に、前記複数の信号パスの少なくとも異なる一つの信号パスを前記第２フィードポイントに動作可能に接続するステップであって、前記第１フィードポイントおよび前記第２フィードポイントに接続された前記信号パスの各々が、対応する前記周波数帯域における前記通信信号のフィルタリングを行うフィルタを有するものとするステップと、
前記複数の信号パスの少なくとも幾つかの信号パスにおいて、前記複数の信号パスの少なくとも２つの信号パスとの間のクロスバンド分離を実現する手段を設けるステップと、
前記第１フィードポイントに接続された前記信号パスの少なくとも一つの信号パスにて受信された前記通信信号、および前記第２フィードポイントに接続された前記信号パスの少なくとも一つの信号パスにて受信された前記通信信号が、同一の前記周波数帯域および伝送モードで送信されるステップとを含むことを特徴とする、通信信号の受信を向上させる方法。
【請求項３４】
第１アンテナおよび第２アンテナを含むような電気的に分離された複数のＲＦアンテナと、フロントエンドモジュールとを備えるマルチバンド・マルチモード通信装置であって、
前記フロントエンドモジュールは、
前記第１アンテナおよび前記第２アンテナに対しそれぞれ独立に接続された少なくとも第１フィードポイントおよび第２フィードポイントと、
複数の周波数帯域において通信信号を受信する前記第１フィードポイントおよび前記第２フィードポイントに動作可能に接続された複数の信号パスであって、それぞれが対応する前記周波数帯域における前記通信信号のフィルタリングを行うフィルタを有する複数の信号パスとを有し、
前記第１のフィードポイントに接続された前記信号パスの少なくとも一つの信号パスで受信された前記通信信号、および前記第２のフィードポイントに接続された少なくとも一つの前記信号パスで受信された前記通信信号が、同一の前記周波数帯域および伝送モードで送信されることを特徴とするマルチバンド・マルチモード通信装置。
【請求項３５】
前記マルチバンド・マルチモード通信装置が、移動端末を含む携帯用の通信装置である、請求項３４に記載のマルチバンド・マルチモード通信装置。
【請求項３６】
前記マルチバンド・マルチモード通信装置が、コミュニケータ機器を含む携帯用の通信装置である、請求項３４に記載のマルチバンド・マルチモード通信装置。
【発明の詳細な説明】
【技術分野】
【０００１】
本発明は、概して、フロントエンドの構成に関し、より詳細には、マルチバンドおよび／またはマルチモード形式の移動セルラーハンドセット電子機器のフロントエンド装置に関する。
【背景技術】
【０００２】
本願において使用される用語「フロントエンド」は、アンテナと電力増幅器またはＲＦ−ＡＳＩＣ（radio frequency application specific integrated  circuit：無線周波数特定用途向け集積回路）との間の構成要素および機能を意味するが、フロントエンドモジュールには電力増幅器を含むものもある。マルチバンド・マルチモードエンジン、特にＭＩＭＯ（multiple-input, multiple-output：マルチ入力・マルチ出力）および／またはダイバーシティ機能の要求を満たすべく設計されたエンジンにおけるフロントエンドは、その構成と設計において極めて複雑である。フロントエンドは、一般に多くのスイッチを具備しているので、このフロントエンドはかなりの量の電流を消費し、かつ、多数の制御線を必要とする。ＭＩＭＯの機能は、新しい移動端末および将来の移動端末において要求される。最初の段階では、移動通信におけるダウンリンクデータ速度はアップリンクのデータ速度より重要であるので、Ｒｘ  ＭＩＭＯが優先される。基本的に、Ｒｘ  ＭＩＭＯは、特定の動作周波数帯域において提供される複数のＲｘパスを必要とする。ついで、これらのＲｘパスの出力が監視されて結合され、高速のデータ速度が達成される。アンテナからこれらのＲｘパスの各々への信号送出は、互いに独立して行われる。
【０００３】
現在、ＧＳＭ／Ｗ−ＣＤＭＡマルチモードエンジンは、独立したＧＳＭアンテナおよび独立したＷ−ＣＤＭＡアンテナを有するように設計されている。Ｗ−ＣＤＭＡアンテナは、Ｗ−ＣＤＭＡモードのＲｘパス（受信パス）およびＴｘパス（送信パス）の両パス用の通過帯域フィルタを有するデュープレクサに接続される。ＧＳＭアンテナは、アンテナスイッチモジュールに接続され、このアンテナスイッチモジュールは、通常、まず、ダイプレクサ（diplexer）等を使用して２ＧＨｚ帯域から１ＧＨｚ周波数を分離する。ついで、各々の周波数レンジのＲｘパスおよびＴｘパスは、スイッチにより分離される。アンテナスイッチモジュールはまた、度々、電力増幅器の出力用の高調波フィルタ機能を含み、Ｒｘパス用フィルタ機能を実現するために弾性表面波（surface-acoustic wave ：ＳＡＷ）フィルタを含むことが可能である。典型的なフロントエンドの代表的なブロック図を図１Ａおよび１Ｂに示す。図１Ａに示すように、ＧＳＭモジュールは、４つのセクション、すなわち、１ＧＨｚ  ＧＳＭ  Ｒｘセクション、１ＧＨｚ  ＧＳＭ  Ｔｘセクション、２ＧＨｚ  ＧＳＭ  Ｒｘセクション、および２ＧＨｚ  ＧＳＭ  Ｔｘセクションを含む。１ＧＨｚ  ＧＳＭ  Ｒｘセクションは、８６９〜８９４ＭＨｚ  Ｒｘパス１１０、および９２５〜９６０ＭＨｚ  Ｒｘパス１３０を含む。まとめてパス１５０として示されるような１ＧＨｚ  ＧＳＭ  Ｔｘセクションは、８２４〜８４９ＭＨｚおよび８８０〜９０５ＭＨｚの２つの周波数帯域を含む。８６９〜８９４ＭＨｚ  Ｒｘパス１１０は、ポート１１２とバラン（balun）１２２との間に接続されたフィルタ１１６を含む。９２５〜９６０ＭＨｚ  Ｒｘパス１３０は、ポート１３２とバラン１４２との間に接続されたフィルタ１３６を含む。フィルタの技術に応じて、バランの機能はフィルタ１１６および１３６に組み込まれることが可能である。Ｒｘパス１１０および１３０は、共通ノード４１０において結合される。これらのＲｘパスは、整合エレメント８０を介して、ノード４１２にて８２４〜８４９ＭＨｚ／８８０〜９０５ＭＨｚ  Ｔｘパス１５０のポート１５２に結合される。ここで、ＰＩＮダイオード４２および４４がＴｘ−Ｒｘの切替スイッチに使用される。あるいは他のスイッチ技術、例えばＣＭＯＳあるいはＧａＡｓ  ｐ−ＨＥＭＴ（pseudomorphic high electron mobility transistor：擬似格子整合形高電子移動度トランジスタ）もまた使用されることが可能である。しかしながら、ＣＭＯＳおよびｐ−ＨＥＭＴスイッチを使用することにより、バイアスおよび整合エレメントの配置は若干変更される。
【０００４】
２ＧＨｚ  ＧＳＭ  Ｒｘセクションは、通常１８００ＧＳＭモードと呼ばれる１８０５〜１８８０ＭＨｚ  Ｒｘパス２２０、および通常１９００ＧＳＭモードと呼ばれる１９３０〜１９９０ＭＨｚ  Ｒｘパス２４０を含む。まとめてパス２６０として示されるような２ＧＨｚ  ＧＳＭ  Ｔｘセクションは、１７１０〜１７５８ＭＨｚおよび１８５０〜１９１０ＭＨｚの２つの周波数帯域を含む。１８０５〜１８８０ＭＨｚ  Ｒｘパス２２０は、ポート２２２とバラン２３２との間に接続されたフィルタ２２６を含む。１９３０〜１９９０ＭＨｚ  Ｒｘパス２４０は、ポート２４２とバラン２５２との間に接続されたフィルタ２４６を含む。上記のＲｘパス２２０および２４０は、共通ノード４１４にて整合回路あるいは整合装置８４、８６に結合される。これらのＲｘパスはまた、整合エレメント８２を介して、ノード４１６にて１７１０〜１７５８ＭＨｚ／１８５０〜１９１０ＭＨｚ  Ｔｘパス２６０のポート２６２に結合される。ここで、ＰＩＮダイオード４６および４８がＴｘ−Ｒｘの切替用スイッチに使用される。上記の１ＧＨｚおよび２ＧＨｚの部分は、Ｔｘパス１５０および２６０用の高調波フィルタ３２、３４を含むダイプレクサ３０を介して、ＧＳＭアンテナ１０の共通フィードポイント（feed point）４１８に接続される。
【０００５】
図１Ｂにおいて、Ｗ−ＣＤＭＡモジュールは、２つのパス、すなわち、２１１０〜２１７０ＭＨｚ  Ｒｘパス３２０および１９２０〜１９８０ＭＨｚ  Ｔｘパス３４０を有する。上記のＲｘパス３２０は、ポート３２２とバラン３３２との間に接続されたフィルタ３２６を含む。しかしながら、バランはまた、フィルタの後段およびデュープレクサの外側にも存在することが可能である。１９２０〜１９８０ＭＨｚ  Ｔｘパス３４０は、通過帯域フィルタ３４６およびポート３４２を有する。上記のＲｘパス３２０は、整合エレメント９０を介して、ノード４２０および共通Ｗ−ＣＤＭＡアンテナ２０にて上記のＴｘパス３４０に結合される。
【０００６】
ＧＳＭモードに一つのアンテナを使用し、かつ、Ｗ−ＣＤＭＡモードに一つのアンテナを使用するために、フロントエンドは、１８０５〜１８８０ＭＨｚ  ＧＳＭ  Ｒｘパス２２０と１９３０〜１９９０ＭＨｚ  ＧＳＭ  Ｒｘパス２４０とを分離するための整合装置８０、８２、８４および８６ならびに整合およびバイアスに必要な他の構成要素を、選択されるスイッチ技術に応じて有することが要求される。フロントエンドのアーキテクチャは複雑であり、上記の受信パス（Ｒｘパス）において、付加的な損失が生じる。
【発明の開示】
【発明が解決しようとする課題】
【０００７】
したがって、本発明においては、複雑さを減少させることが可能なフロントエンドのアーキテクチャを提供することが有利であり、望ましい。
【課題を解決するための手段】
【０００８】
本発明は、一つまたは複数の２ＧＨｚ  ＧＳＭ  Ｒｘパスを一つまたは複数のＷ−ＣＤＭＡ  Ｒｘパスに結合することによって、フロントエンド設計の複雑さを軽減させる。このような結合により、整合エレメントおよびスイッチ構成要素の数は節減され、あるいは除去されうる。この結果として、フロントエンドエンジンにおける電流消費および損失もまた節減されうる。好ましくは、フロントエンドエンジンは、一つまたは複数の受信フロントエンドモジュールを含み、各々の受信フロントエンドモジュールは、通信信号を受信するための少なくとも２つのアンテナに動作可能に接続された少なくとも２つのフィードポイントを有する。上記の受信フロントエンドモジュールは同一でも異なってもよい。
【０００９】
このため、本発明の第１の態様によれば、マルチバンド・マルチモード通信装置において使用される受信フロントエンドモジュールが提供され、上記マルチバンド・マルチモード通信装置は、電気的に分離された複数のアンテナを有し、
受信フロントエンドモジュールは、
上記マルチバンド・マルチモー通信装置において通信信号を受信する上記複数のアンテナの少なくとも２つのアンテナに独立に接続された少なくとも２つのフィードポイントと、
複数の周波数帯域において通信信号を同時に受信する上記フィードポイントに動作可能に接続される複数の信号パスであって、それぞれが対応する上記周波数帯域における上記通信信号のフィルタリングを行うフィルタを有する複数の信号パスと、
少なくとも２つの上記信号パスの間のクロスバンド分離を実現するために、上記信号パスに配置された少なくとも一つの分離構成要素とを備える。
【００１０】
上記分離構成要素は、少なくとも一つの信号増幅器を含む。
【００１１】
２つのアンテナは、第１アンテナおよび第２アンテナを含み、２つのフィードポイントは、上記第１アンテナに動作可能に接続された第１フィードポイントおよび上記第２アンテナに動作可能に接続された第２フィードポイントを含み、
上記複数の信号パスは、
上記第１周波数帯域における上記通信信号のフィルタリングを行う第１フィルタを有し、かつ、上記第１フィードポイントに動作可能に接続された第１信号パスと、
上記第２周波数帯域における上記通信信号のフィルタリングを行う第２フィルタを有し、かつ、上記第２フィードポイントに動作可能に接続された第２信号パスと、
上記第３周波数帯域における上記通信信号のフィルタリングを行う第３フィルタを有し、かつ、上記第２フィードポイントに動作可能に接続された第３信号パスであって、ここに、上記第３周波数帯域が上記第２周波数帯域と異なる第３信号パスと、
上記第２フィルタおよび上記第３フィルタを整合させる少なくとも一つの整合回路とを具備する。
【００１２】
好ましくは、受信フロントエンドモジュールは、さらに、
上記第１フィルタと上記第１フィードポイントとの間の上記第１信号パスに配置された第１バランと、
上記第２フィルタと上記第２フィードポイントとの間の上記第２信号パスに配置された第２バランと、
上記第３フィルタと上記第２フィードポイントとの間の上記第３信号パスに配置された第３バランとを備える。
【００１３】
上記分離構成要素は、
上記第１信号パスに配置され、かつ、上記第１フィルタに動作可能に接続された第１信号増幅器と、
上記第２信号パスに配置され、かつ、上記第２フィルタに動作可能に接続された第２信号増幅器と、
上記第３信号パスに配置され、かつ、上記第３フィルタに動作可能に接続された第３信号増幅器とを含む。
【００１４】
上記第１周波数帯域が１８０５〜１８８０ＭＨｚの周波数範囲を実質的に包含し、
上記第２周波数帯域が１９３０〜１９９０ＭＨｚの周波数範囲を実質的に包含し、
上記第３周波数帯域が２１１０ＭＨｚと２１７０ＭＨｚとの間の周波数範囲を実質的に包含する。
【００１５】
上記第１信号パスにて受信された上記通信信号が、ＧＳＭモードで送信され、
上記第２信号パスにて受信された上記通信信号が、ＧＳＭモードまたはＷ−ＣＤＭＡモードのいずれか一方で送信され、
上記第３信号パスにて受信された上記通信信号が、ＣＤＭＡモードで送信される。
【００１６】
代替的に、上記第３周波数帯域が１８０５ＭＨｚと１８８０ＭＨｚとの間の周波数範囲を実質的に包含し、
上記第１周波数帯域および上記第２周波数帯域が２１１０ＭＨｚと２１７０ＭＨｚとの間の周波数範囲を実質的に包含する。
【００１７】
上記第３信号パスにて受信された上記通信信号が、ＧＳＭモードで送信され、
上記第１信号パスおよび上記第２信号パスにて受信された上記通信信号が、Ｗ−ＣＤＭＡモードで送信される。
【００１８】
好ましくは、受信フロントエンドモジュールは、さらに、
上記第１フィルタと上記第１フィードポイントとの間の上記第１信号パスに配置された第１バランと、
上記第２フィルタと上記第２フィードポイントとの間の上記第２信号パスに配置された第２バランと、
上記第３フィルタと上記第２フィードポイントとの間の上記第３信号パスに配置された第３バランとを備える。
【００１９】
上記分離構成要素は、
上記第１信号パスに配置され、かつ、上記第１フィルタに動作可能に接続された第１信号増幅器と、
上記第２信号パスに配置され、かつ、上記第２フィルタに動作可能に接続された第２信号増幅器と、
上記第３信号パスに配置され、かつ、上記第３フィルタに動作可能に接続された第３信号増幅器とを含む。
【００２０】
代替的に、２つのアンテナは、第１アンテナおよび第２アンテナを含み、少なくとも２つのフィードポイントは、上記第１アンテナに動作可能に接続された第１フィードポイントおよび上記第２アンテナに動作可能に接続された第２フィードポイントを含み、
上記複数の信号パスは、
上記第１周波数帯域における上記通信信号のフィルタリングを行う第１フィルタを有し、上記第１フィードポイントに動作可能に接続された第１信号パスと、
上記第２周波数帯域における上記通信信号のフィルタリングを行う第２フィルタを有し、上記第２フィードポイントに動作可能に接続された第２信号パスとを含み、
上記複数のアンテナは、さらに、上記第１アンテナと上記第２アンテナから電気的に分離された第３アンテナを含み、
受信フロントエンドモジュールは、さらに、
上記通信装置において通信信号を受信する上記第３アンテナに動作可能に接続された第３フィードポイントと、
第３周波数帯域において通信信号を受信する上記第３フィードポイントに動作可能に接続された第３信号パスと、
上記第３信号パスと上記少なくとも２つの信号パスの少なくとも一つの信号パスとの間のクロスバンド分離を実現するために、上記第３信号パスに配置された付加的分離手段とを備える。
【００２１】
上記第１信号パスおよび上記第２信号パスにて受信された上記通信信号が、実質的に２１１０ＭＨｚと２１７０ＭＨｚとの間の周波数帯域で送信され、上記第３信号パスにて受信された上記通信信号が、実質的に１９３０ＭＨｚと１９９０ＭＨｚとの間の周波数帯域で送信される。
【００２２】
好ましくは、受信フロントエンドモジュールは、さらに、
上記第１フィルタと上記第１フィードポイントとの間の第１信号パスに配置された第１バランと、
上記第２フィルタと上記第２フィードポイントとの間の第２信号パスに配置された第２バランと、
上記第３フィルタと上記第２フィードポイントとの間の第３信号パスに配置された第３バランとを備える。
【００２３】
好ましくは、上記分離構成要素は、
上記第１信号パスに配置され、かつ、上記第１フィルタに動作可能に接続された第１信号増幅器と、
上記第２信号パスに配置され、かつ、上記第２フィルタに動作可能に接続された第２信号増幅器とを含み、
上記付加的分離手段は、
上記第３信号パスに配置され、かつ、上記第３フィルタに動作可能に接続された第３信号増幅器を含む。
【００２４】
好ましくは、受信フロントエンドモジュールは、さらに、
実質的に１９３０ＭＨｚと１９９０ＭＨｚとの間の周波数帯域において通信信号を受信する上記複数のアンテナの異なる一つのアンテナに動作可能に接続された第４信号パスを備える。
【００２５】
上記第１信号パスおよび上記第２信号パスにて受信された上記通信信号が、Ｗ−ＣＤＭＡ（ＥＵ）モードまたはＷ−ＣＤＭＡ（ＵＳ２）モードのいずれか一方のモードで送信される。また一方で、上記第３信号パスおよび上記第４信号パスにて受信された上記通信信号が、Ｗ−ＣＤＭＡ（ＵＳ１）モードまたは１９００ＧＳＭモードのいずれか一方のモードで送信される。
【００２６】
上記第３信号パスにて受信された上記通信信号が、Ｗ−ＣＤＭＡ（ＵＳ１）モードで送信され、上記第４信号パスにて受信された上記通信信号が、Ｗ−ＣＤＭＡ（ＵＳ１）モードまたは１９００ＧＳＭモードのいずれか一方のモードで送信される。
【００２７】
好ましくは、上記第１バラン、上記第２バランおよび上記第３バランがサブモジュールに組み込まれ、上記第１信号増幅器、上記第２信号増幅器および上記第３信号増幅器がサブモジュールに組み込まれる。
【００２８】
好ましくは、受信フロントエンドモジュールは、さらに、
上記第１フィードポイント、上記第２フィードポイントおよび上記第３フィードポイント、ならびに上記第１信号パス、上記第２信号パスおよび上記第３信号パスを設ける第１サブモジュールと、
上記第４信号パスを設ける第２サブモジュールとを備える。
【００２９】
好ましくは、受信フロントエンドモジュールは、さらに、
更なるフィードポイントを有する更なるアンテナと、
第４周波数帯域において通信信号を受信するために上記更なるフィードポイントに動作可能に接続された第４信号パスと、
上記第４周波数帯域とは異なる第５周波数帯域において通信信号を受信するために上記更なるフィードポイントに動作可能に接続された第５信号パスとを備え、
上記第４信号パスおよび上記第５信号パスの各々は、
上記更なるフィードポイントに動作可能に接続された入力エンドおよび出力エンドと、
上記入力エンドに配置されたバランと、
上記出力エンドに配置された信号増幅器と、
上記信号増幅器と上記バランとの間に配置されたフィルタとを有し、
受信フロントエンドモジュールは、上記第４信号パスおよび上記第５信号パスにおける上記フィルタに整合させるために上記更なるフィードポイントに動作可能に接続された整合手段をさらに備える。
【００３０】
上記第１信号パスおよび上記第２信号パスにて受信された上記通信信号が、Ｗ−ＣＤＭＡモードの実質的に２１１０ＭＨｚと２１７０ＭＨｚとの間の周波数帯域で送信され、
上記第３信号パスおよび第４信号パスにて受信された上記通信信号が、Ｗ−ＣＤＭＡモードまたはＧＳＭモードのいずれか一方のモードの実質的に１９３０ＭＨｚと１９９０ＭＨｚとの間の周波数帯域で送信される。
【００３１】
上記第５信号パスにて受信された上記通信信号が、実質的に１８０５ＭＨｚと１８８０ＭＨｚとの間の上記第５周波数帯域で送信される。
【００３２】
代替的に、受信フロントエンドモジュールは、さらに、
上記第１信号パス、第２信号パスおよび第３信号パス、ならびに上記第フィードポイント１、上記第２フィードポイントおよび上記第３フィードポイントを設ける第１サブモジュールと、
上記第４信号パス、上記第５信号パスおよび上記更なるフィードポイントを設ける第２サブモジュールとを備える。
【００３３】
受信フロントエンドモジュールは、さらに、
上記第４周波数帯域および上記第５周波数帯域とは異なる第６周波数帯域において通信信号を受信するために上記更なるフィードポイントに動作可能に接続された第６信号パスを備え、
上記第６信号パスは、
上記更なるフィードポイントに動作可能に接続された入力エンドおよび出力エンドと、
上記入力エンドに配置されたバランと、
上記出力エンドに配置された信号増幅器と、
上記第６周波数帯域における上記通信信号のフィルタリングを行うために上記信号増幅器と上記バランとの間に配置されたフィルタとを有し、
整合手段は、上記第６信号パスにおける上記フィルタに整合させるためにも使用される。
【００３４】
上記第１信号パス、上記第２信号パスおよび上記第６信号パスにて受信された上記通信信号が、Ｗ−ＣＤＭＡモードの実質的に２１１０ＭＨｚと２１７０ＭＨｚとの間の周波数帯域で送信され、
上記第３信号パスおよび上記第４信号パスにて受信された上記通信信号が、Ｗ−ＣＤＭＡモードまたはＧＳＭモードのいずれか一方のモードの実質的に１９３０ＭＨｚと１９９０ＭＨｚとの間の周波数帯域で送信され、
上記第５信号パスにて受信された上記通信信号が、実質的に１８０５ＭＨｚと１８８０ＭＨｚとの間の上記第５周波数帯域で送信される。
【００３５】
代替的に、２つのアンテナは、第１アンテナおよび第２アンテナを含み、
２つのフィードポイントは、
第１周波数帯域において通信信号を受信するために上記第１アンテナに第１信号パスを動作可能に接続させる第１フィードポイントと、
上記第２周波数帯域において通信信号を受信するために上記第２アンテナに第２信号パスを動作可能に接続させる第２フィードポイントとを含み、
上記複数のアンテナは、第４アンテナ、第５アンテナおよび第６アンテナをさらに含み、
受信フロントエンドモジュールは、さらに、
上記周波数帯域において通信信号を受信するために上記第４アンテナに第４信号パスを動作可能に接続させる第４フィードポイントと、
上記第５周波数帯域において通信信号を受信するために上記第５アンテナに第５信号パスを動作可能に接続させる第５フィードポイントと、
上記第６周波数帯域において通信信号を受信するために上記第６アンテナに第６信号パスを動作可能に接続させる第６フィードポイントとを備え、
受信フロントエンドモジュールは、
上記第１信号パス、上記第２信号パスおよび上記第３信号パスを設ける第１サブモジュールと、
上記第４信号パス、上記第５信号パスおよび上記第６信号パスを設ける第２サブモジュールとをさらに備え、
上記通信信号が、上記第１〜第６信号パスからなる６つの信号パスの少なくとも２つの信号パスにおいて、同一の上記周波数帯域および伝送モードで送信される。
【００３６】
好ましくは、上記第１〜第６信号パスからなる６つの信号パスの上記少なくとも２つの信号パスが、
実質的に２１１０ＭＨｚと２１７０ＭＨｚとの間の周波数範囲で、受信された上記通信信号が送信される上記第１信号パスおよび上記第４信号パスと、
実質的に１９３０ＭＨｚと１９９０ＭＨｚとの間の周波数範囲で、受信された上記通信信号が送信される上記第２信号パスおよび上記第３信号パスと、
実質的に１８０５ＭＨｚと１８８０ＭＨｚとの間の周波数範囲で、受信された上記通信信号が送信される上記第５信号パスおよび上記第６信号パスとを含む。
【００３７】
本発明の第２の態様によれば、電気的に分離された複数のアンテナと、複数の周波数帯域において通信信号を受信する複数の信号パスとを有するマルチバンド・マルチモード通信装置における通信信号の受信を向上させる方法が提供される。この方法は、
上記複数のアンテナの少なくとも２つのアンテナに独立に接続された少なくとも第１フィードポイントおよび第２フィードポイントを提供するステップと、
上記複数の信号パスの少なくとも一つの信号パスを上記第１フィードポイントに動作可能に接続すると共に、上記複数の信号パスの少なくとも異なる一つの信号パスを上記第２フィードポイントに動作可能に接続するステップであって、上記第１フィードポイントおよび上記第２フィードポイントに接続された上記信号パスの各々が、対応する上記周波数帯域における上記通信信号のフィルタリングを行うフィルタを有するものとするステップと、
上記複数の信号パスの少なくとも幾つかの信号パスにおいて、上記複数の信号パスの少なくとも２つの信号パスとの間のクロスバンド分離を実現する手段を設けるステップと、
上記第１フィードポイントに接続された上記信号パスの少なくとも一つの信号パスにて受信された上記通信信号、および上記第２フィードポイントに接続された上記信号パスの少なくとも一つの信号パスにて受信された上記通信信号が、同一の上記周波数帯域および伝送モードで送信されるステップとを含む。
【００３８】
本発明の第３の態様によれば、マルチバンド・マルチモード通信装置が提供され、このマルチバンド・マルチモード通信装置は、第１アンテナおよび第２アンテナを含むような電気的に分離された複数のＲＦアンテナと、フロントエンドモジュールとを備え、このフロントエンドモジュールは、
上記第１アンテナおよび上記第２アンテナに対しそれぞれ独立に接続された少なくとも第１フィードポイントおよび第２フィードポイントと、
複数の周波数帯域において通信信号を受信する上記第１フィードポイントおよび上記第２フィードポイントに動作可能に接続された複数の信号パスであって、それぞれが対応する上記周波数帯域における上記通信信号のフィルタリングを行うフィルタを有する複数の信号パスとを有し、
上記第１のフィードポイントに接続された上記信号パスの少なくとも一つの信号パスで受信された上記通信信号、および上記第２のフィードポイントに接続された少なくとも一つの上記信号パスで受信された上記通信信号が、同一の上記周波数帯域および伝送モードで送信される。
【００３９】
上記マルチバンド・マルチモード通信装置は、移動端末またはコミュニケータ機器を含む携帯用の通信装置でありうる。
【発明を実施するための最良の形態】
【００４０】
本発明は、次の図２Ａから図１０に関する説明を参照することによって明らかになるであろう。
【００４１】
エンジンのフロントエンドのＧＳＭパスおよびＷ−ＣＤＭＡパスの幾つかを再配置することにより、マルチバンド・マルチモード移動端末（またはコミュニケータ機器等）における上位（２ＧＨｚ）ＧＳＭ帯域ＲｘおよびＧＳＭ帯域Ｔｘの性能が改善されうる。移動端末１は、図１０において概略的に示されている。図１０は、一つのアンテナ１０に動作可能に接続された第１モジュール４、および一つまたは複数のアンテナ２０に動作可能に接続された第２モジュール８を含むトランシーバフロントエンド２を示す。
【００４２】
本発明の一実施形態によれば、１８００ＧＳＭ  Ｒｘ（１８０５〜１８８０ＭＨｚ）は、アンテナスイッチからＷ−ＣＤＭＡデュープレクサに移される。図２Ａに示すように、ＧＳＭモジュールの２ＧＨｚの部分は、一つのＲｘパス２４０、すなわち、１９００ＧＳＭ  Ｒｘ（１９３０〜１９９０ＭＨｚ）のみを有する。このように、整合エレメント８４および８６（図１Ａ参照）を除くことが可能である。図２Ｂに示すように、１８００ＧＳＭ  Ｒｘパス２２０は、Ｗ−ＣＤＭＡモジュールの上位帯域アンテナ２０を共有する。Ｗ−ＣＤＭＡデュープレクサ（Ｒｘパス３２０およびＴｘパス３４０）とＧＳＭとの異なる動作モードの故に、１８００ＧＳＭ  Ｒｘパス２２０はスイッチを必要とすることなくノード４２２に直接接続されうる。フィルタの一つと整合するために、一つの整合エレメント９２のみが使用される。このような配置にすると、Ｔｘ−Ｒｘ切替用スイッチおよびダイプレクサ３０等（図１Ａ参照）に起因する損失が回避され、これによってこの特定のＲｘバンドの損失が２ｄＢまで軽減される。図２Ａに示すように、λ／４伝送線路あるいは９０度位相器（８２）を必要とする直列（４８）／分岐（４６）構成のＰＩＮダイオードにより、切り替えが達成されることに注意すべきである。しかしながら、他の選択肢もまた存在し、両ダイオードは直列であることも可能であり、また一方で、ダイオードがＣＭＯＳスイッチまたはｐ−ＨＥＭＴスイッチ等により置換されうることも可能である。
【００４３】
（１７１０〜１７５８）／（１８５０〜１９１０）ＧＳＭ  Ｔｘパス２６０において独立した通過帯域フィルタを使用することにより、１９００ＧＳＭ  Ｒｘおよび１８００＆１９００ＧＳＭ  Ｔｘの損失を軽減させるような更なる改善が実現されうる。図３に示すように、独立した整合回路２７０および独立した通過帯域フィルタ２６６は１８００ＧＳＭ  Ｔｘ（１７１０〜１７５８ＭＨｚ）に使用され、独立した整合回路２７２および独立した通過帯域フィルタ２６８は１９００ＧＳＭ  Ｔｘ（１８５０〜１９１０ＭＨｚ）に使用される。このように、切替エレメント４６、４８、８２（図２Ａ参照）および高調波フィルタ３４が削除され、選択的なＴｘ通過帯域フィルタ２６６、２６８により置換される。例えば、モジュールに組み込まれうる受動エレメントである回路２７０、２７２を有する両エンドにおいて、これらの２つの通過帯域フィルタは整合される。スイッチおよびダイプレクサ／高調波フィルタの除去により、切り替えることなく３つのフィルタ全てを一つの単一アンテナフィードポイント５１０に整合させることが可能になる。この配置において、１９００ＧＳＭ  Ｒｘフィルタ２４６および対応する１９００ＧＳＭ  Ｔｘフィルタ２６８は、デュープレクサのように動作する。したがって、挿入損失が軽減されうる。
【００４４】
さらに、図２Ｂの１９２０〜１９８０ＭＨｚ  Ｗ−ＣＤＭＡパス３４０、および図３の１９００ＧＳＭ  Ｒｘパス２４０は、図４Ａおよび図４Ｂに示すように場所を変えることができる。図４Ａに示すように、整合エレメント９２を必要とすることなく１９２０〜１９８０ＭＨｚ  Ｗ−ＣＤＭＡ  Ｔｘパス３４０は直接アンテナフィードポイント５１０に接続される（図２Ｂ参照）。図４Ｂに示すように、一つのアンテナフィードポイント５２０によりアンテナ２０に接続された３つのＲｘパス２２０、２４０および３２０が存在しているが、フィルタの一つと整合させるのに、一つの整合回路２７４のみが必要である。このような配置は更なる利点をもたらす。
【００４５】
図４Ａおよび図４Ｂに示すような配置では、上位帯域のＲｘパスおよびＴｘパスは全て分離されている。上位帯域のＴｘパスはアンテナ１０に接続されるが、上位帯域のＲｘパスはアンテナ２０に接続される。このように、ＲｘアンテナおよびＴｘアンテナ１０、２０は、各アンテナが独立したモジュールに位置する不平衡アンテナでありうる。さらに、各モジュールは上位帯域用の３つのフィルタを有し、これらのフィルタは一つの整合エレメントにより一つの単一フィードポイントに整合される。図２Ａの切替エレメント４８、４６および８２の場合のように、図４Ａの整合エレメントはＣＭＯＳスイッチまたはｐ−ＨＥＭＴスイッチにより置換されうる。
【００４６】
ＲｘパスおよびＴｘパス用分離アンテナは、ＴｘからＲｘへの「影響回避（for free）」的な減衰を幾らかもたらす。上記の用語「影響回避」は、互いに強すぎる影響を受けない複数のアンテナを持つために(アンテナポートにおける負荷条件等)、アンテナとの間にある量、通常は最低でも１０ｄＢの分離がなければならないことを意味する。これは従来のＧＳＭ対Ｗ−ＣＤＭＡアンテナ配置の場合にも当てはまる。これは、正しくＲｘおよびＴｘを配置して、１０ｄＢから２０ｄＢの分離を用いれば、ＴｘからＲｘへの必要な分離もある程度達成されることを意味する。これにより、デュープレックスの要件にある程度の緩和が得られる。さらに、Ｒｘアンテナ２０は、ついで全方位に最適化される。同様に、上位帯域Ｔｘアンテナ１０は最適化され、低放射携帯電話機用に可能な限り低いＳＡＲ（specific absorption rate：特定吸収率）を達成することができる。さらに、Ｒｘ系のインピーダンスレベルはＴｘ対応系のものより一般的に高いので、Ｒｘ系およびＴｘ系が異なるアンテナに接続される場合、アンテナインピーダンスは、上位帯域Ｒｘおよび上位Ｔｘにのみ適するように設計されうる。
【００４７】
上記の方法は、米国の現在あるいは将来のＷ−ＣＤＭＡ周波数のフロントエンドエンジン、あるいは、欧州および米国のＷ−ＣＤＭＡ周波数を混在させて使用するフロントエンドエンジンにおいて使用されうる。より詳細には、本発明は、周波数が近接するが重ならない少なくとも３つの周波数帯域のあらゆる所定の組に適用可能である。例えば、図４Ａに示すように、２ＧＨｚ  ＧＳＭ  Ｔｘパス２６０は現行米国Ｗ−ＣＤＭＡ（ＵＳ１、Ｔｘ  １８５０〜１９１０ＭＨｚ）および新規米国Ｗ−ＣＤＭＡ（ＵＳ２、Ｔｘ  １７１０〜１７５５ＭＨｚ）にも使用されうる。これらのモードは、ＥＵＷ−ＣＤＭＡ  Ｔｘパス３４０と同じアンテナ１０を共同利用する。同様に、図４Ｂに示すように、１９００ＧＳＭ  Ｒｘは現行米国Ｗ−ＣＤＭＡ（ＵＳ１、Ｔｘ  １９３０〜１９９０ＭＨｚ）にも使用されることが出来、欧州Ｗ−ＣＤＭＡ  Ｒｘパス３２０は新規米国Ｗ−ＣＤＭＡ（ＵＳ２、Ｔｘ  ２１１０−２１５５ＭＨｚ）にも使用されうる。Ｗ−ＣＤＭＡ  ＵＳ２  Ｒｘは欧州のもの（２１１０〜２１７０ＭＨｚ）より狭い帯域幅を持つことに注意すべきである。さらに、全てのＧＳＭおよびＷ−ＣＤＭＡ帯域がＴｘ／Ｒｘシステムに設けられる必要はない。異なるＷ−ＣＤＭＡ標準を受け入れるために、関係するフィルタは異なる通過帯域周波数を持つように設計されなければならない。
【００４８】
図５Ａおよび図５Ｂは、図４Ｂとは異なる２ＧＨｚ  Ｒｘの実施形態を示す。これらの異なる実施形態におけるフィルタ２２６、２４６および３２６は完全に平衡し、それぞれはその先端にバランを伴ってもよいし、あるいはフィルタのそれぞれが、シングル・ツー・バランス（single to balance）機能（弾性波バラン）を有してもよい。図５Ａに示すように、各パスのバランおよびフィルタは、シングル・ツー・バランス伝送機能を含むフィルタに集積される。Ｒｘパス２２０、２４０および３２０におけるシングル・ツー・バランス伝送を行うフィルタは、それぞれ参照番号２２８、２４８および３２８で示される。
【００４９】
図４Ｂに示すように、独立したバラン２３２、２５２および３３２が使用されると、これらのバランの各々は、対応するフィルタ（２２６、２４６および３２６）の周波数範囲を包含する。あるいは、図５Ｂに示すように、一つのバラン３３４が３つのＲｘパス２２０、２４０および３２０の全てに使用される。この場合、バラン３３４は３つのフィルタ２２６、２４６および３２６の全周波数範囲を包含し、一つの整合エレメント２７６がフィルタの一つとの整合に使用される。フィルタはＳＡＷ（surface acoustic wave：弾性表面波）フィルタまたはＢＡＷ（bulk acoustic wave：バルク音響波）フィルタでありうる。図４Ｂおよび５Ａに示すように、一つのＲｘモジュールに３つのフィルタがあるが、最低周波数帯域と最高周波数帯域との間にある周波数を有するフィルタのみが整合エレメントを必要とし、このエレメントは、典型的に一つのキャパシタおよび一つまたは複数のインダクタにより実装されうる。整合はまた、ストリップ線路またはコイルとキャパシタとの別の配置を使用しても実行されうる。もし、フィルタ間の周波数分離が狭すぎなければ、単一点への少なくとも３つのフィルタの整合は一般に可能である（１ＧＨｚまたは２ＧＨｚの周波数分離を有する整合は簡単である）。周波数の分離限界はフィルタ技術および選択性の要件によるが、典型的な最小値は中央周波数の１％近辺である（すなわち、１８００の上位通過帯域エッジと１９００の下位エッジとの間の分離は、２０ＭＨｚの分離およびＷ−ＣＤＭＡ  Ｒｘに対してより広い分離を有するので、２ＧＨｚに近いフィルタ、例えばＧＳＭ１８００および１９００、Ｗ−ＣＤＭＡ２１１０  Ｒｘフィルタは整合可能である）。上記の例では、異なる３つの周波数レンジは１８０５〜１８８０ＭＨｚ、１９３０〜１９９０ＭＨｚおよび２１１０〜２１７０ＭＨｚである。
【００５０】
急峻なＲｘフィルタを共有する上位帯域におけるＲｘアンテナとＴｘアンテナとの分離は、ＲｘからＴｘへの十分な分離をもたらし、付加的なＴｘ／Ｒｘ切り替えを不要とする。さらに、ＲｘからＴｘへの分離を達成するのに十分選択的であるフィルタを設計することは可能である。しかしながら、クロスバンド分離の問題は解決されないままである。この問題は、所定の標準のＴｘ帯域およびＲｘ帯域は重複しなくとも、マルチバンドエンジンでは一標準のＴｘ周波数と別標準のＲｘ周波数との間に重複が存在しうることから、発生する。例えば、１９００ＧＳＭ標準は１８５０〜１９１０ＭＨｚにそのＴｘモードと１９３０〜１９９０ＭＨｚに対応するＲｘモードとを有する（その際、２０ＭＨｚの分離がある）。Ｔｘモードは１８０５〜１８８０ＭＨｚで運用される１８００ＧＳＭ  Ｒｘと部分的に重複する。これは、Ｔｘアンテナからの信号が１９０００ＧＳＭ  Ｒｘフィルタにおいて正確に減衰されても、信号が１８００ＧＳＭ  Ｒｘフィルタが通過可能であることを意味する。システムの観点からは、Ｒｘ系の次のエレメントは通常ＲＦ−ＡＳＩＣに既に集積されているＬＮＡ（low noise amplifier：低雑音増幅器）であるので、これは問題である。１８００ＧＳＭ用ＬＮＡがオフ状態にあっても、十分高い信号レベルがＲＦ−ＡＳＩＣのダイ、例えば結線への入力に存在し、ＲＦ−ＡＳＩＣの動作を妨害する。これは特に、１．２Ｖのような非常に低い供給電圧で動作する最近のＲＦ−ＡＳＩＣに関して当てはまる。このような場合、高レベル入力信号はＲＦ−ＡＳＩＣ自体をも損傷しうる。さらに、このようなクロスバンドの状況において唯一の減衰は分離アンテナによりもたらされ、約１０ｄＢ〜１５ｄＢである。この減衰は十分ではない。１８００ＧＳＭ、１９００ＧＳＭおよび欧州Ｗ−ＣＤＭＡを含む場合について、起こりうる上記のようなクロスバンド周波数を図６Ａおよび６Ｂに示す。
【００５１】
図６Ａに示すように、アンテナ１０に接続された上位帯域Ｔｘ系は、１８００ＧＳＭ    Ｔｘ＿３（１７１０〜１７８５ＭＨｚ）、１９００ＧＳＭ  Ｔｘ＿４（１８５０〜１９１０ＭＨｚ）およびＷ−ＣＤＭＡ（ＥＵ）  Ｔｘ＿７（１９２０〜１９８０ＭＨｚ）を含み、アンテナ２０に接続された上位帯域Ｒｘ系は１８００ＧＳＭ  Ｒｘ＿３（１８０５〜１８８０ＭＨｚ）、１９００ＧＳＭ  Ｒｘ＿４（１９３０〜１９９０ＭＨｚ）およびＷ−ＣＤＭＡ（ＥＵ）  Ｒｘ＿７（２１１０〜２１７０ＭＨｚ）を含む。したがって、これらの系における周波数の重複はＴｘ＿４−Ｒｘ＿３（１８５０から１８８０ＭＨｚへの３０ＭＨｚ）およびＴｘ＿７−Ｒｘ＿４（１９３０から１９８０ＭＨｚへの５０ＭＨｚ）である。クロスバンド問題はまた図６Ｂに図示される。もしＴｘモードのアンテナにおける最大出力が３０から３３ｄＢであり（システム標準による）、２つの独立したアンテナ間において達成可能な典型的な分離が、例えば１０ｄＢから２０ｄＢの間であれば、この場合に、Ｒｘアンテナにおける電力レベルは１３ｄＢから２３ｄＢである。このような場合、アンテナはＴｘからＲｘへ幾らかの影響回避的な分離をもたらすが、ＲＦ−ＡＳＩＣの入力（Ｒｘパス）において典型的に受け入れ可能な最大電力レベルはＴｘタイムスロット期間中（すなわち、ＡＳＩＣのＬＮＡがオフ）大凡０ｄＢｍであるので、クロスバンドにとってこれは十分ではない。それゆえに、これらのクロスバンドの場合に付加的減衰をもたらす何らかの手段が必要である。
【００５２】
問題のＲｘパスに切替部を設けるか、またはＡＳＩＣからＲｘモジュールへ幾らかもしくは全てのＬＮＡを移すかの２つの方法により、マルチバンドエンジンにおいて十分なクロスバンド分離が基本的に達成されうる。スイッチは分離の適切な増加をもたらすが、また挿入損失も増加させる（スイッチは、例えば接地への分岐等のように、異なる配置を持ちうる）。スイッチを使用する２ＧＨｚ  Ｒｘモジュールのクロスバンド分離は図７Ａに示される。例えば、ＰＩＮダイオード５０が１８００ＧＳＭ  Ｒｘパス２２０においてスイッチとして使用される。ＰＩＮダイオード５０は、１９００ＧＳＭ  Ｔｘモードが使用されるとき、１８００ＧＳＭ  Ｒｘパス２２０に対して十分な分離がもたらされるようにオフにスイッチされる。同様に、ＰＩＮダイオード５２が１９００ＧＳＭ  Ｒｘパス２４０においてスイッチとして使用される。ＰＩＮダイオード５２は、欧州Ｗ−ＣＤＭＡ  Ｔｘモードが使用されるとき、１９００ＧＳＭ  Ｒｘパス２４０に対して十分な分離がもたらされるようにオフにスイッチされる。図７Ａに示すように、バラン２３２、２５２および３３２を含む受動エレメント、整合エレメント２７４およびスイッチ５０、５２はサブモジュール６１０に集積されうる。フィルタ２２６、２４６および３２６は個別サブモジュール６２０、６２２および６２４として独立して組み立てられる。これらの全てのサブモジュールはＲｘモジュール６００に集められうる。
【００５３】
バイアスされない（オフである）ＬＮＡは非常に良好な分離（入力から出力へ）を有し、したがって、オフ状態のＬＮＡの出力における信号レベルはＲＦ−ＡＳＩＣにとって十分低いので、ＬＮＡ法によれば、思いがけない利点としてこのような分離が原理的にもたらされうる。さらに、ＲＦ−ＡＳＩＣからフィルタモジュールへＬＮＡを移すことは、後に説明する他の幾つかの利点を有する。
【００５４】
ＬＮＡを使用するクロスバンド分離は図７Ｂに示される。図示するように、１８００ＧＳＭ  Ｒｘパス２２０、１９００ＧＳＭ  Ｒｘパス２４０およびＷ−ＣＤＭＡ  Ｒｘパス３２０において、３つの低雑音増幅器２２４、２４４および３２４がそれぞれ使用される。低雑音増幅器２２４、２４４および３２４はサブモジュール６３０に集積される。バラン２３２、２５２および３３２を含む受動エレメントおよび整合エレメント２７４は、サブモジュール６１２に集積される。フィルタ２２６、２４６および３２６は個別サブモジュール６２０、６２２および６２４として独立して組み立てられる。これら全てのサブモジュールはＲｘモジュール６０１に集められる。１９００ＧＳＭ  Ｒｘモードで動作するとき、ＬＮＡ２４４のみがオンであり、必要な分離を実現するために１８００ＧＳＭ  ＬＮＡ２２４はオフである。同様にＲｘパス３２０を有するＷ−ＣＤＭＡ（ＥＵあるいはＵＳ２）で動作するとき、ＬＮＡ３２４のみがオンである。１９００ＧＳＭ  ＬＮＡ２４４はオフである。このような配置の利点には、オフ状態のＬＮＡが「影響回避」的な分離を実現し、切替スイッチとして動作し、最適性能を達成するためにフィルタとＬＮＡとの間の整合が設計されうることが含まれる。低雑音増幅器にはバイポーラ処理のみが要求されることに注意すべきである。ＲＦ−ＡＳＩＣはＣＭＯＳから構成されうる。
【００５５】
もし、図５Ａ、７Ａおよび７Ｂに示すもののように、Ｒｘモジュールのバランが音響波バランでない場合、バランは受動整合エレメントと共に、例えば非常に小さいシリコンチップに集積されうる。図７Ｃに示すように、１９００ＧＳＭ  Ｒｘパス２４０はまた、現行米国Ｗ−ＣＤＭＡ（ＵＳ１）  Ｒｘモードにも使用され、欧州Ｗ−ＣＤＭＡ  Ｒｘパス３２０は、また新規米国Ｗ−ＣＤＭＡ（ＵＳ２）  Ｒｘモードにも使用されることに注意すべきである。図７Ｃに示すように、「世界」的なＥＵ／ＵＳ２／ＵＳ１および１８００／１９００ＧＳＭ  Ｒｘの組み合わせにおいて、受信モジュールは単一アンテナモジュールである。しかしながら、図８Ａに示すように、２つのアンテナがＲｘモジュール６０２に配置されるのが望ましい。
【００５６】
上位帯域ＲｘおよびＴｘを分離する更なる利点は、フロントエンドアーキテクチャがＲｘ−ＭＩＭＯ／ダイバーシティ機能をサポートするのに良く適していることである。
【００５７】
ＭＩＭＯ受信モジュールでは、２つの異なるアンテナに接続された信号パスの少なくとも２つの信号パスは、同一周波数帯域の同一モードの信号を受信するために同時に使用される。例えば、図８Ｂに示すＷ−ＣＤＭＡ  ＥＵ／ＵＳ２  ＭＩＭＯと１８００ＧＳＭ  Ｒｘの組み合わせでは、Ｗ−ＣＤＭＡ  ＥＵ／ＵＳ２パス３２０は独立して２つのアンテナ２２および２４に接続される。第２アンテナ２４はまた、１８００ＧＳＭ  Ｒｘパス２２０に整合される。
【００５８】
図８Ｃに示すように、受信信号パスをＲｘモジュールの独立した３つのアンテナに接続することも可能である。図示するように、Ｒｘモジュール６０３は２つのアンテナ２２に独立に接続された同一の２つの信号パス３２０を有し、Ｗ−ＣＤＭＡ  ＥＵ／ＵＳ２  ＭＩＭＯの要求を達成する。第３信号パス２４０はＷ−ＣＤＭＡ  ＵＳ１と１９００ＧＳＭ  Ｒｘとの組み合わせに使用される。Ｒｘモジュール６０３では、ＬＮＡ３２４および２４４を含む必要がないことに注意すべきである。Ｒｘモジュールはまたスイッチを有し、クロスバンド分離問題を処理しうる。
【００５９】
ダイバーシティでは唯一の要求は、モジュールの重複である。例えば、図８Ｄに示すように、同一の２つのＲｘモジュール（例えば、図７Ｂの６０１または図７Ｃの６０１’）が並行して使用されうる。このような場合、一つのＴｘモジュール（例えば、図４Ａ）のみが必要である。
【００６０】
図７Ｂ、図７Ｃ、図８Ａ、図８Ｂおよび図８Ｃに示すように、Ｒｘモジュールは結合されるかあるいは共に使用され、さらに、ＭＩＭＯおよびダイバーシティの種々の要求を達成しうる。例えば、図８Ｃに示すようにＭＩＭＯ  Ｒｘモジュール６０３、および図７Ｃに示すようにＲｘモジュール６０１は共に使用され、Ｒｘアンテナダイバーシティを達成しうる。図８Ｅに示すように、Ｒｘモジュール６０３および６０１は共に使用され、３つのＷ−ＣＤＭＡ（ＥＵ／ＵＳ２）  Ｒｘパス３２０（アンテナ１、アンテナ３およびアンテナ４を介して）、２つのＷ−ＣＤＭＡ（ＵＳ１／１９００ＧＳＭ）  Ｒｘパス２４０（アンテナ２およびアンテナ４を介して）および一つの１８００ＧＳＭ  Ｒｘパス２２０（アンテナ４を介して）を提供する。この配置において、２４０の両方のＲｘパスは１９００ＧＳＭ  Ｒｘダイバーシティに使用されうる。あるいは、２４０のＲｘパスの一つのＲｘパスは通常Ｗ−ＣＤＭＡ  ＵＳ１  Ｒｘに使用されるが、１９００ＧＳＭ  Ｒｘ信号の監視にも使用されうる。任意選択として、Ｗ−ＣＤＭＡ  Ｒｘパス３２０の一つが除去され、２つのＷ−ＣＤＭＡ（ＥＵ／ＵＳ２）  Ｒｘパス３２０のみが利用可能にされうる。Ｒｘモジュール６０１および６０３は一つのモジュールに結合されることが可能であり、あるいは２つのモジュールとして使用される。
【００６１】
上位帯域Ｒｘパスが上位帯域Ｔｘパスから分離され、３本のアンテナを有するＲｘモジュールが使用され、ＧＳＭ  Ｒｘアンテナダイバーシティを達成しうる。図９Ａに示すように、１つのアンテナが単一のＷ−ＣＤＭＡ（ＥＵ／ＵＳ２）  Ｒｘパス３２０にリンクされる。２つのアンテナは、２つの１８００ＧＳＭ  Ｒｘパス２２０に独立してリンクされ、１８００ＧＳＭダイバーシティを達成する。同様に図９Ｂに示すように、２つのアンテナが１９００ＧＳＭ  Ｒｘパス２４０に独立してリンクされ、１９００ＧＳＭダイバーシティを達成しうる。
【００６２】
１８００と１９００ＧＳＭ  Ｔｘパス２６０および／またはＷ−ＣＤＭＡ（ＥＵ）  Ｔｘパス３４０等の上位帯域Ｔｘを含むモジュールでは、１８００ＧＳＭ  Ｔｘ帯域および１９００ＧＳＭ  Ｔｘ帯域は、大部分の場合、一つの共通電力増幅器（ＰＡ）から提供される。したがって、両ＧＳＭ  Ｔｘ帯域を包含するのに十分広い通過帯域を有する図２Ａのフィルタ３４等の一つの高調波フィルタによって、上位帯域ＧＳＭ  ＴｘパスのＴｘフィルタリングが行われうる。あるいは、出力エンドおよび入力エンドの両方において互いに整合される図３および図４Ａのフィルタ２６６、２６８等の２つの通過帯域フィルタを使用して、Ｔｘフィルタリングが達成される。Ｗ−ＣＤＭＡ  Ｔｘパス３４０は、図４Ａの通過帯域フィルタ３４６等の分離フィルタを必要とする。電力増幅器のいずれかが異なる出力を有するかによって、高調波フィルタ３４、または、通過帯域フィルタ２６６、２６８および３４６はいずれも、平衡フィルタ、または、シングル・ツー・バランス伝送を行うフィルタでありうる。
【００６３】
従来のアンテナスイッチによる方法を使用して、１ＧＨｚ  ＧＳＭバンド１１０、１３０および１５０は、ＴｘアンテナまたはＲｘアンテナのいずれか一方のアンテナに接続される。すなわち、アンテナの一つは、１ＧＨｚにおいても共振するように設計されなければならない。この主な理由は、１ＧＨｚアンテナが最も大きいものであるからであり、それゆえに、低位帯域用に独立したＴｘアンテナおよびＲｘアンテナを持つことは実行できないことが分かる。
【００６４】
下記のように、本発明の利点は多い（幾つかは特定帯域の組み合わせおよび実装に依存することがありうる）。
（１）スイッチ数の節減：より低い挿入損失、より少ない制御線、より少ない電流消費（一つのＰＩＮダイオードは４ｍＡから１０ｍＡの電流を要する）。
スイッチ関連バイアス構成要素の節減
（２）独立したＲｘアンテナおよびＴｘアンテナ：ＴｘからＲｘまでの影響回避的な分離、緩和されたフィルタリング要件（特にＣＤＭＡアプリケーションにおいて）、より少ない構成要素数。
（３）Ｒｘモジュールにおける（あるいはＲｘフィルタが存在するモジュールの）ＬＮＡ：オフ状態ＬＮＡは、影響回避的なクロスバンド分離（スイッチの必要がない）を実現し、フィルタとＬＮＡとの間の整合は、理想的には種々のエンジンボード設計（ルーティング等）から未知のファクタなしで設計されることが可能であり、バイポーラのみが必要であり、システムレベルの雑音値は大部分の場合改善され、偏差はより少なく、ＭＩＭＯのアプリケーションにおいてＲｘモジュールは全て重複されることが可能であり、ＲｘモジュールにおけるＬＮＡにより、ＲＦ−ＡＳＩＣへの接続が長くなっても雑音指数および利得の変動は僅かである（異なるＲｘ分岐路で雑音指数が等しいことは、ＭＩＭＯ受信機において重要である）。
（４）要求される構成に応じて、共通のフットプリントおよびＩ／Ｏ割り当てを有するＲｘモジュールは、選択された内部ダイと共にのみ使用されうる。
（５）周波数に重複のない少なくとも３つのフィルタは、一つの単一フィードポイントに整合されうるので、真に選択的なフィルタによるＧＳＭ  Ｔｘのフィルタリングはスイッチを必要としない。
（６）Ｒｘアンテナ２０は全方位に最適化されることが可能であり、また一方で、上位帯域Ｔｘアンテナ１０は最適化され、携帯端末からの低放射に対して可能な限り低いＳＡＲ（特定吸収率）を達成しうる。
【００６５】
これまでは、好ましい実施形態に関して本発明を説明したが、その形式および詳細において前述のような変形、削除および変更および種々の他の変形、削除および変更が、本発明の範囲から逸脱することなくなされうることは、当業者によって容易に理解されるであろう。
【図面の簡単な説明】
【００６６】
【図１Ａ】従来技術のフロントエンドモジュールのＧＳＭの部分を示すブロック図である。
【図１Ｂ】同じ従来技術のフロントエンドモジュールのＷ−ＣＤＭＡの部分を示すブロック図である。
【図２Ａ】本発明によるフロントエンドモジュールの実施形態のＧＳＭの部分を示すブロック図である。
【図２Ｂ】図２ＡのフロントエンドモジュールのＧＳＭ／Ｗ−ＣＤＭＡの混成部分を示すブロック図である。
【図３】本発明によるフロントエンドモジュールのＧＳＭの部分の異なる実施形態を示すブロック図である。
【図４Ａ】本発明の好ましい実施形態による１ＧＨｚＧＳＭ  Ｔｘ／Ｒｘと組み合わされたＧＳＭ／Ｗ−ＣＤＭＡ  ２ＧＨｚ  Ｔｘの混成モジュールを示すブロック図である。
【図４Ｂ】本発明の好ましい実施形態によるＧＳＭ／Ｗ−ＣＤＭＡ  ２ＧＨｚ  Ｒｘの混成モジュールを示すブロック図である。
【図５Ａ】ＧＳＭ／Ｗ−ＣＤＭＡ  ２ＧＨｚ  Ｒｘモジュールの異なる実施形態を示すブロック図である。
【図５Ｂ】ＧＳＭ／Ｗ−ＣＤＭＡ  ２ＧＨｚ  Ｒｘモジュールの別の実施形態を示すブロック図である。
【図６Ａ】本発明によるＧＳＭ／Ｗ−ＣＤＭＡフロントエンドにおけるＴｘ−Ｒｘアンテナ分離を示す概略図である。
【図６Ｂ】ＧＳＭ周波数とＷ−ＣＤＭＡ周波数における重複を示す周波数チャートである。
【図７Ａ】トランシーバのＧＳＭ／Ｗ−ＣＤＭＡ  ２ＧＨｚ  Ｒｘモジュールにおけるクロスバンド分離問題を解決するためのスイッチの使用を示すブロック図である。
【図７Ｂ】トランシーバのＧＳＭ／Ｗ−ＣＤＭＡ  ２ＧＨｚ  Ｒｘモジュールにおけるクロスバンド問題を解決するための低雑音増幅器の使用を示すブロック図である。
【図７Ｃ】世界的なＷＣＤＭＡ  ＥＵ／ＵＳ２／ＵＳ１＆１８００／１９００ＧＳＭ  Ｒｘの組み合わせにおける図７Ｂの単一アンテナ受信モジュールを示すブロック図である。
【図８Ａ】世界的なＷＣＤＭＡ  ＥＵ／ＵＳ２／ＵＳ１＆１８００／１９００ＧＳＭ  Ｒｘの組み合わせにおける二重アンテナ受信モジュールを示すブロック図である。
【図８Ｂ】ＷＣＤＭＡ  ＥＵ／ＵＳ２  ＭＩＭＯ＆１８００ＧＳＭ  Ｒｘの組み合わせにおける二重アンテナ受信モジュールを示すブロック図である。
【図８Ｃ】ＷＣＤＭＡ  ＥＵ／ＵＳ２  ＭＩＭＯ＆ＷＣＤＭＡ  ＵＳ１／１９００ＧＳＭ  Ｒｘの組み合わせにおける三重アンテナ受信モジュールを示すブロック図である。
【図８Ｄ】同一の２つのＲｘモジュールのＭＩＭＯ組み合わせを示すブロック図である。
【図８Ｅ】Ｒｘダイバーシティを達成するための異なるＲｘモジュールの組み合わせを示すブロック図である。
【図９Ａ】１８００ＧＳＭダイバーシティＲｘモジュールを示すブロック図である。
【図９Ｂ】１９００ＧＳＭダイバーシティＲｘモジュールを示すブロック図である。
【図１０】本発明のトランシーバフロントエンドを有する携帯端末を示す概略図である。
【図１Ａ】
2007511115.tif 000003
【図１Ｂ】
2007511115.tif 000004
【図２Ａ】
2007511115.tif 000005
【図２Ｂ】
2007511115.tif 000006
【図３】
2007511115.tif 000007
【図４Ａ】
2007511115.tif 000008
【図４Ｂ】
2007511115.tif 000009
【図５Ａ】
2007511115.tif 000010
【図５Ｂ】
2007511115.tif 000011
【図６Ａ】
2007511115.tif 000012
【図６Ｂ】
2007511115.tif 000013
【図７Ａ】
2007511115.tif 000014
【図７Ｂ】
2007511115.tif 000015
【図７Ｃ】
2007511115.tif 000016
【図８Ａ】
2007511115.tif 000017
【図８Ｂ】
2007511115.tif 000018
【図８Ｃ】
2007511115.tif 000019
【図８Ｄ】
2007511115.tif 000020
【図８Ｅ】
2007511115.tif 000021
【図９Ａ】
2007511115.tif 000022
【図９Ｂ】
2007511115.tif 000023
【図１０】
2007511115.tif 000024
【国際調査報告】
2007511115.tif 000025